(57)【要約】【課題】  メニュー操作画面上に設けられている各表示項目内容の視認性を保持し、視覚的に、より明確な区別を可能にし、メニュー操作画面における操作性の向上を図る。【解決手段】  ユーザがリモコンのメニュー表示ボタンを押下すると、システム制御部は、メニュー操作画面表示信号を受信し続いてメモリから画面構成部にメニュー構成データを供給する。画面構成部は、該メニュー構成データに基づきメニュー操作画面のキャラクタ信号を生成し、表示制御部ではビデオデコーダからの映像信号に上記キャラクタ信号を重畳させ、最終的に処理後の映像信号が画面表示部に表示される。選択項目及び設定項目の表示領域の拡大、縮小等の表示変更は、リモコン及びシステム制御部の制御の下で、画面構成部で行う。【選択図】  図１
2006252276.tif 000002
【特許請求の範囲】
【請求項１】
１つ以上の設定値を変更するためのメニュー操作画面と映像とを合成して表示する映像表示装置であって、
前記メニュー操作画面を生成するための設定項目及び設定値を含むメニュー構成データを記憶するメモリと、
前記メモリに記憶された前記メニュー構成データをもとに、メニュー操作画面の表示信号を生成する表示信号生成手段と、
映像信号を表示する表示手段と、
前記メニュー操作画面の表示操作が行われた場合に、前記表示手段に表示される前記映像信号に前記メニュー操作画面の表示信号を重畳させる重畳手段と、
前記表示手段により表示されたメニュー操作画面に対してカーソル操作を行う操作手段と、
前記操作手段による操作に基づき、前記設定値を設定する設定手段と、
を備え、
前記メニュー操作画面の表示項目は、ユーザのカーソル操作によって選択される上位レベルである選択項目と、該選択項目の下位レベルであるユーザによる設定が許可されている設定項目およびユーザによる設定が許可されていない設定項目とに分類され、前記表示信号生成手段は、ユーザのカーソル操作によって選択された前記表示項目に応じて、該表示項目の表示形式を自動的に換えることを特徴とする映像表示装置。
【請求項２】
前記表示信号生成手段は、前記メニュー操作画面を構成する各表示項目を表示領域に配置し、前記ユーザのカーソル操作によって選択された選択項目の表示領域のサイズを基準として、前記ユーザによる設定が許可されている設定項目が選択された場合、該設定項目の表示領域のサイズを拡大表示し、前記ユーザによる設定が許可されていない設定項目の表示領域を縮小表示することを特徴とする請求項１に記載の映像表示装置。
【請求項３】
前記表示信号生成手段は、前記カーソル操作により、前記ユーザによる設定が許可されていない設定項目を選択しようとした場合に、自動的に該設定項目をスキップするようにしたことを特徴とする請求項２に記載の映像表示装置。
【発明の詳細な説明】
【技術分野】
【０００１】
本発明は、映像表示装置に関し、特に各種設定値を変更するためのグラフィック・ユーザ・インタフェース（「ＧＵＩ」）としてメニュー操作画面を備える映像表示装置に関する。
【背景技術】
【０００２】
現在、殆どのテレビジョン受像機、情報端末機器において、ユーザが各種設定操作を簡便に実行する為に設定項目一覧（以下メニューという）を画面上に表示し画面上で設定操作を行う、所謂ＧＵＩを備えている。
【０００３】
機器の多機能化に伴い、設定項目が増加し、また、例えば、アナログ放送視聴状態や地上デジタル放送視聴状態等の複数の動作状態を有するようになり、このような場合において、上記各動作状態に応じて、設定が許可されない設定項目が存在する場合がある。
【０００４】
これをユーザが簡便に区別するための方法として、例えば、特許文献１では、上記のような機器の動作状態に応じてユーザによる選択が禁止されている設定項目の表示領域をハーフトーン表示する技術が開示されている。
【特許文献１】特開平５−７５９４７号公報
【発明の開示】
【発明が解決しようとする課題】
【０００５】
しかしながら、上記特許文献１に記載されている開示技術である選択禁止項目のハーフトーン表示は、コントラストの低下に伴い視認性が低下するため、ユーザが設定不許可項目を誤って探している場合には、該設定項目が設定禁止であることをユーザが認識するのに時間がかかってしまう可能性がある。
【０００６】
そこで、本発明は、上記課題の解決を図るべく、提案されたものであり、メニュー操作画面上に設けられている各表示項目内容の視認性を保持しつつ統一的な表示形式のもとで、視覚的に、より明確な区別を可能にし、メニュー操作画面における操作性の向上を図ることができる映像表示装置の提供を目的とするものである。
【課題を解決するための手段】
【０００７】
本発明は、こうした課題を解決するため、以下に記載する技術構成を採用し、以下の特徴を備えている。
【０００８】
本発明に係る映像表示装置は、１つ以上の設定値を変更するためのメニュー操作画面と映像とを合成して表示する映像表示装置であって、前記メニュー操作画面を生成するための設定項目及び設定値を含むメニュー構成データを記憶するメモリと、前記メモリに記憶された前記メニュー構成データをもとに、メニュー操作画面の表示信号を生成する表示信号生成手段と、映像信号を表示する表示手段と、前記メニュー操作画面の表示操作が行われた場合に、前記表示手段に表示される前記映像信号に前記メニュー操作画面の表示信号を重畳させる重畳手段と、前記表示手段により表示されたメニュー操作画面に対してカーソル操作を行う操作手段と、前記操作手段による操作に基づき、前記設定値を設定する設定手段と、を備え、前記メニュー操作画面の表示項目は、ユーザのカーソル操作によって選択される上位レベルである選択項目と、該選択項目の下位レベルであるユーザによる設定が許可されている設定項目およびユーザによる設定が許可されていない設定項目とに分類され、前記表示信号生成手段は、ユーザのカーソル操作によって選択された前記表示項目に応じて、該表示項目の表示形式を自動的に換えることを特徴とする。
【０００９】
また、本発明に係る映像表示装置において、前記表示信号生成手段は、前記メニュー操作画面を構成する各表示項目を表示領域に配置し、前記ユーザのカーソル操作によって選択される選択項目の表示領域のサイズを基準として、選択された前記ユーザによる設定が許可されている設定項目の表示領域のサイズを拡大表示し、前記ユーザによる設定が許可されていない設定項目の表示領域を縮小表示することを特徴とする。
【００１０】
また、本発明に係る映像表示装置において、前記表示信号生成手段は、前記カーソル操作により、前記ユーザによる設定が許可されていない設定項目を選択しようとした場合に、自動的に該設定項目をスキップするようにしたことを特徴とする。
【発明の効果】
【００１１】
以上説明したように、本発明の係る映像表示装置によれば、メニュー操作画面上で、選択された上位レベルの選択項目と、その下位レベルであって、設定が許可されている設定項目および設定が許可されていない設定項目の表示領域のサイズという単一の属性を段階的に変化させることによる統一的な表示形式を用いることで、設定項目の視認性を保持しつつ、視覚的に区別可能にし、メニュー操作画面における操作性の向上を図ることができる。
また、本発明の係る映像表示装置によれば、前記ユーザによる設定が許可されていない設定項目を選択しようとした場合に、その設定項目の設定を禁止し、自動的に該設定項目をスキップするため、よりメニュー操作画面における操作性の向上を図ることができる。
【発明を実施するための最良の形態】
【００１２】
以下、本発明に係る映像表示装置の一実施形態について添付図面を参照して説明を行う。
【００１３】
図１は、本発明に係る映像表示装置のシステム構成図である。
【００１４】
まず、本発明に係る映像表示装置の構成について図１を用いて説明する。
【００１５】
なお、以下では、本発明に係る映像表示装置を説明するにあたって、後述する複数動作状態を有し、メニュー操作画面による設定機能を備えたデジタルテレビジョン受像装置１０を例に説明する。
【００１６】
テレビジョン受像装置１０は、チューナ部１１、デスクランブラ１２、デマルチプレクサ１３、ビデオデコーダ１４、ＰＳＩデコーダ１５、オーディオデコーダ１６、画面構成部１７、表示制御部１８、画像表示部１９、ＤＡＣ２０、音声出力部２１、メモリ２２、システム制御部２３、操作部２４と、を備えて構成されている。
【００１７】
次に、上記のように構成されたデジタルテレビジョン受像装置１０の動作について説明する。
【００１８】
アンテナあるいはケーブルから受信された放送波信号等の入力信号は、チューナ部１１に入力される。チューナ部１１では上記入力信号に対して、復調、誤り訂正等の処理を施したトランスポートストリーム（以下「ＴＳ」と称する）データを生成し、デスクランブラ１２に出力する。デスクランブラ１２は、生成されたＴＳデータが視聴制限の為に暗号化されている場合、ＴＳデータに含まれる鍵情報と後述するＩＣカード制御部２３に記録される鍵情報とに基づいて、復号化処理を行い、復号化処理されたデータをデマルチプレクサ１３へ出力する。
【００１９】
ユーザが、操作部２７を用いてチャンネルを選択すると、デマルチプレクサ１３は、デスクランブラ１２より入力された複数チャンネル分の映像、音声データ、及びＰＳＩ（Ｐｒｏｇｒａｍ  Ｓｐｅｃｉｆｉｃ  Ｉｎｆｏｒｍａｔｉｏｎ）データ等が時分割多重化されているＴＳデータの中から、選択されたチャンネルにおいて現在放送中の番組に係る映像データ及び音声データを取り出し、それぞれをビデオデコーダ１４、オーディオデコーダ１６に出力して復号化する。また、デマルチプレクサ１３は、前述のＴＳデータからＰＳＩデータを取り出し、ＰＳＩデコーダ１５に送る。ＰＳＩデコーダ１５は、ＰＳＩデータを復号化し、その中のＥＰＧデータをメモリ２２に出力する。メモリ２２は、そのＥＰＧデータおよび各種メニュー設定項目を記憶する。
【００２０】
システム制御部２３は、マイクロプロセッサを含み、図１に示すシステム中の各コンポーネントの制御を行う。また、操作部２４は、例えば、図５に示すリモートコントローラ（以下、「リモコン」という）３６のようにユーザが画像表示部１９に表示されるＧＵＩを操作するため操作信号を出力する。
【００２１】
図５は、操作部２４としてのリモコンの一例を示す図である。
【００２２】
リモコン３６は、メニュー操作画面を表示させるメニュー画像表示キー４５と、メニュー操作画面上の設定項目を選択するためのカーソルボタン（上）４０，（左）４１，（下）４２，（右）４３と、設定された項目情報を決定するための決定キー４４と、ユーザによるチャンネル切替えボタン３７と、地上デジタル放送ネットワークボタン３８、地上アナログ放送ネットワークボタン３９とを備えており、これらのボタン等によってメニュー操作画面表示、チャンネル情報表示等の操作入力情報をシステム制御部２６に出力する。
【００２３】
画面構成部１７は、操作部２４のユーザ操作入力情報を受けたシステム制御部２３からの制御信号に応じて、ＰＳＩデータから得たＳＩ等を基にしたＥＰＧデータや、メニュー構成データ等から生成されるキャラクタ信号を表示制御部１８に出力する。
【００２４】
表示制御部１８は、システム制御部２３からの制御信号に基づき、ビデオデコーダ１４からの映像信号に対してＥＰＧデータやメニュー操作画面等のキャラクタ信号の重畳処理を行い、映像信号を画像表示部１９に出力する。
【００２５】
また、Ｄ／Ａ変換部２０は、オーディオデコーダ１６からのデジタル音声データをアナログ信号に変換して、スピーカである音声出力部２１から音声を出力する。
【００２６】
このようにして、ビデオデコーダ１４からの映像信号とＥＰＧデータやメニュー操作画面等のキャラクタ信号からなるメニュー操作画面信号とを重畳処理し、画像表示部１９に出力すると共に、リモコン３６によって、メニュー操作画面上の各種メニュー設定項目を選択して、それぞれに応じた設定を行うことができる。
【００２７】
次に、メニュー操作画面における設定項目表示の具体的な動作について、図２から図４を用いて説明する。
【００２８】
図２は、メニュー操作画面における設定項目の選択表示の一例を示す図である。
【００２９】
図３は、メニュー操作画面において設定が許可されていない設定項目の表示の一例を示す図である。
【００３０】
図４は、メニュー操作画面における選択禁止項目のスキップ動作の一例を示す図である。
【００３１】
ユーザがリモコン３６のメニュー表示ボタン４５を押下すると、システム制御部２３は、メニュー操作画面表示信号を受信し続いてメモリ２２から画面構成部１７にメニュー構成データを供給する。さらに、上述したように、画面構成部１７は、該メニュー構成データに基づきメニュー操作画面のキャラクタ信号を生成する。そして、表示制御部１８ではビデオデコーダ１４からの映像信号に上記キャラクタ信号を重畳させ、最終的に処理後の映像信号２５が画面表示部１９に表示される。
【００３２】
メニュー操作画面表示後、ユーザは、リモコン３６のカーソルボタン４０，４１，４２、４３のいずれかのボタンを押下することでメニュー操作画面上の表示項目を選択又は変更する。以下に説明するように、メニュー操作画面における操作性の向上を図るための選択項目及び設定項目の表示領域サイズの拡大、縮小等の表示変更は、リモコン３６及びシステム制御部２３の制御の下で、画面構成部１７が行う。
【００３３】
まず、図２に示す上位レベルの表示項目である選択のみ行うことができる選択項目２６をリモコン３６のカーソルボタン４１又は４３を押下することで選択する。
ここで、選択された選択項目２６の矩形表示領域は、選択された以外の同レベルの選択項目の矩形表示領域のサイズよりも拡大して表示される。また、このとき、選択項目の下位レベルの設定項目２７も同時に表示される。また、この設定項目２７の表示領域のサイズは、選択項目２６の表示領域のサイズと異なった拡大率であってもよい。
【００３４】
なお、さらに、選択項目２６を変更する場合は、再度、リモコン３６のカーソルボタン４１又は４３を押下することで変更する。
【００３５】
選択項目２６を選択する場合、例えば、図２（ａ）に示すように、現在の上位選択項目が「本体設定」項目であり、その下位レベルの全設定項目２７が設定許可項目である場合、選択された設定項目が「入力４端子設定」２８の状態から、ユーザがカーソルボタン（下）４２を押下すると、図２（ｂ）に示すように、選択された設定項目は１つ下の設定項目「デジタル音声出力」２９の状態に遷移する。この際、矩形表示領域が拡大表示される設定項目も「入力４端子設定」２８から「デジタル音声出力」２９へ遷移する。
【００３６】
ユーザによりある設定項目から所望の設定項目に遷移させる操作に伴って、その設定項目の状態が設定許可から設定禁止に遷移した場合は、該設定項目の矩形表示領域は、設定が許可されている設定項目の矩形表示領域よりも縮小して表示される。
【００３７】
例えば、図３に示すように、ユーザがアナログ放送視聴状態で（図３（ａ）に示す状態）、地上デジタル放送ネットワークボタン３８の押下によりデジタル放送視聴状態（図３（ｂ）に示す状態）に切り替えると、アナログ放送時においてのみ有効な画面ノイズ除去機能「ＤＮＲ」は、設定許可項目から設定禁止項目の状態に自動的に遷移するため、該設定項目の矩形表示領域３２は縮小表示される。
【００３８】
また、設定が許可されていない設定項目は、カーソルによる選択操作も禁止され、図４（ａ）に示すように選択された設定項目が「デジタル音声出力」３３である状態から、ユーザがカーソル下ボタン４２を押下すると、デジタル視聴状態で設定が許可されていない設定項目「ＤＮＲ」３４は、自動的にスキップされ、図４（ｂ）に示すさらに下の設定項目「字幕表示設定」３５が選択される。
【００３９】
このように、メニュー操作画面上で、選択された選択項目と、機器のある動作状態で設定が許可されている設定項目およびその動作状態で設定が許可されていない設定項目の表示領域のサイズという単一の属性を段階的に変化させることによる統一的な表示形式を用いることで、設定項目の視認性を保持しつつ、視覚的に区別可能にし、メニュー操作画面における操作性の向上を図ることができる。
【図面の簡単な説明】
【００４０】
【図１】本発明に係る映像表示装置のシステム構成図である。
【図２】メニュー操作画面における設定項目の選択表示の一例を示す図である。
【図３】メニュー操作画面において設定が許可されていない設定項目の表示の一例を示す図である。
【図４】メニュー操作画面における選択禁止項目のスキップ動作の一例を示す図である。
【図５】操作部としてのリモートコントローラの一例を示す図である。
【符号の説明】
【００４１】
１０  テレビジョン受像装置
１１  チューナ部
１２  デスクランブラ
１３  デマルチプレクサ
１４  ビデオデコーダ
１５  ＰＳＩデコーダ
１６  オーディオデコーダ
１７  画面構成部
１８  表示制御部
１９  画像表示部
２０  Ｄ／Ａ変換部
２１  音声出力部
２２  メモリ
２３  システム制御部
２４  操作部
２５  映像表示画面
２６  メニュー項目（上位）
２７  メニュー項目（下位）
３０  アナログ放送画面
３１  デジタル放送画面
３６  リモートコントローラ
３７  チャンネル数字ボタン
３８  地上デジタル放送ネットワークボタン
３９  地上アナログ放送ネットワークボタン
４０  カーソル上ボタン
４１  カーソル左ボタン
４２  カーソル下ボタン
４３  カーソル右ボタン
４４  決定ボタン
４５  メニュー表示ボタン
【図１】
2006252276.tif 000003
【図２】
2006252276.tif 000004
【図３】
2006252276.tif 000005
【図４】
2006252276.tif 000006
【図５】
2006252276.tif 000007